(57)【要約】      （修正有）【課題】複数回の利用に適した構成の排尿検出パッドおよびそれを用いた排尿報知装置を提供する。【解決手段】排尿検出パッド２は、尿水を吸収して透過させる第１シート２１と、第１シートに重ね合わせて結合されており、第１シートを透過した尿水を吸収して濡れ拡がらせる第２シート２２と、第２シートに縫い付けられた導電性糸によって形成され、互いに間隔を開けて設けられた一対の導電部２３，２４と、一対の導電部にそれぞれ接続され、第２シートに固定された一対の端子２５，２６とを含む。導電性糸で形成された導電部は、柔軟性があるうえに、充分な強度を有しており、尿水による汚れを洗浄して再利用するために充分な強度を有している。【選択図】図５
0003193591.tif 000002
【実用新案登録請求の範囲】
【請求項１】
使用者の陰部に着用されて当該使用者の排尿を検出する排尿検出パッドであって、
尿水を吸収して透過させる第１シートと、
前記第１シートに重ね合わせられて当該第１シートと結合されており、前記第１シートを透過した尿水を吸収して濡れ拡がらせる第２シートと、
前記第２シートに縫い付けられた導電性糸によって形成され、互いに間隔を開けて設けられた一対の導電部と、
前記一対の導電部にそれぞれ接続され、前記第２シートに固定された一対の端子とを含む、排尿検出パッド。
【請求項２】
前記第１シートが、前記第２シートよりも吸水性が高い素材からなり、
前記第２シートが、前記第１シートよりもシート内での尿水の濡れ拡がり速度が速く、前記第１シートよりも引っ張り強度の大きい素材からなる、請求項１に記載の排尿検出パッド。
【請求項３】
前記第１シートおよび前記第２シートがいずれも織布からなる、請求項１または２に記載の排尿検出パッド。
【請求項４】
前記第１シートが、木綿の織布を含み、
前記第２シートが、化学繊維の織布を含む、請求項１〜３のいずれか一項に記載の排尿検出パッド。
【請求項５】
前記導電性糸が、前記第２シートの両面に露出するように前記第２シートに縫い付けられている、請求項１〜４のいずれか一項に記載の排尿検出パッド。
【請求項６】
前記一対の導電部が、間隔を開けて互いに噛み合う一対の櫛形パターンを成している、請求項１〜５のいずれか一項に記載の排尿検出パッド。
【請求項７】
前記第２シートが、
使用者の陰部前方に配置され、前記一対の導電部が配置された排尿検知部と、
使用者の陰部後方に配置される後方部と、
前記排尿検知部と前記後方部との間に配置され、使用者の股に配置される中間部とを含み、
前記一対の導電部が、前記排尿検知部に配置され、前記後方部および前記中間部には配置されていない、請求項１〜６のいずれか一項に記載の排尿検出パッド。
【請求項８】
前記排尿検知部の幅が、前記後方部および前記中間部の幅よりも広く、
前記後方部の幅が、前記中間部の幅よりも広い、請求項７に記載の排尿検出パッド。
【請求項９】
前記第１シートが、前記第２シートの前記排尿検知部と重なり合う前方部と、前記第２シートの前記中間部と重なり合う股部とを有し、前記第２シートの後方部とは重なり合っていない、請求項７または８に記載の排尿検出パッド。
【請求項１０】
前記第１シートの前方部が前記第２シートの排尿検知部と等幅であり、前記第１シートの股部が前記第２シートの中間部と等幅である、請求項９に記載の排尿検出パッド。
【請求項１１】
前記第１シートの周縁部と前記第２シートの周縁部とが互いに縫い付けられることにより、前記第１シートおよび前記第２シートが互いに結合されている、請求項１〜１０のいずれか一項に記載の排尿検出パッド。
【請求項１２】
前記第１シートの周縁部が前記第２シートの周縁部に結合されており、
前記第１シートの周縁部が、前記第２シートに結合されていない自由縁部を含み、
前記第１シートと前記第２シートとの間に、前記自由縁部により区画された開口からアクセス可能なポケットが形成されている、請求項１〜１１のいずれか一項に記載の排尿検出パッド。
【請求項１３】
前記第２シートが、複数のシート体を積層した積層構造を有している、請求項１〜１２のいずれか一項に記載の排尿検出パッド。
【請求項１４】
前記一対の導電部が、使用者の左右方向に間隔を開けて対向するように配置された一対の主体部をそれぞれ有し、各導電部が、前記主体部から他方の導電部の主体部に向かって延びた枝部を有している、請求項１〜１３のいずれか一項に記載の排尿検出パッド。
【請求項１５】
前記一対の主体部が、使用者の左右方向に対して直交するように使用者の下腹部に沿って互いに平行に延びる一対の平行直線部と、前記一対の平行直線部のそれぞれの対応する一端に連続し、使用者の股に向かうに従って互いの間隔が短くなるように傾斜した一対の傾斜直線部とを含む、請求項１〜１４のいずれか一項に記載の排尿検出パッド。
【請求項１６】
前記端子が、互いにスナップ結合する金属製の第１スナップ端子および第２スナップ端子を有するスナップ端子対の前記第１スナップ端子である、請求項１〜１５のいずれか一項に記載の排尿検出パッド。
【請求項１７】
前記一対の端子にそれぞれ結合される一対の電線と、前記一対の電線のそれぞれの先端に設けられ前記第１スナップ端子にスナップ結合可能な一対の前記第２スナップ端子とを含むケーブルをさらに含む、請求項１６に記載の排尿検出パッド。
【請求項１８】
前記一対の端子にそれぞれ着脱可能な端子部を先端に有する一対の電線を備えたケーブルをさらに含む、請求項１〜１６のいずれか一項に記載の排尿検出パッド。
【請求項１９】
前記第２シートに着脱自在な留め具と、
前記留め具に保持され、前記一対の電線を結束して前記ケーブルを保持するケーブル保持具とをさらに含む、請求項１７または１８に記載の排尿検出パッド。
【請求項２０】
前記ケーブル保持具が、前記留め具によって前記一対の電線を互いに離間させた状態で当該一対の電線を結束して保持するように構成されている、請求項１９に記載の排尿検出パッド。
【請求項２１】
前記留め具によって、使用者の下着に固定して用いられる、請求項１９または２０に記載の排尿検出パッド。
【請求項２２】
使用者が装着する下着の内側に配置して用いられる、請求項１〜２１のいずれか一項に記載の排尿検出パッド。
【請求項２３】
請求項１〜２２のいずれか一項に記載の排尿検出パッドと、
前記一対の端子に電気的に接続され、前記一対の端子間の電気抵抗に応答して作動するアラームユニットとを含む、排尿報知装置。
【考案の詳細な説明】
【技術分野】
【０００１】
この考案は、排尿検出パッドおよびそれを備えた排尿報知装置に関する。
【背景技術】
【０００２】
特許文献１は、成人用オムツ等に組み込まれる水分センサを開示している。この水分センサは、メインシートと、メインシートの上下に貼り付けられたサブシートおよび防水シートとを備えている。メインシートには水溶性カーボンインクからなる一対の帯状電極が印刷されている。メインシートとサブシートとの間には導電性接着剤が介在している。導電性接着剤は、乾燥時には電気絶縁性を示し、吸水時に導電性を示す。水分センサは、オムツ本体を構成する不織布の内側に設けられている。
【０００３】
使用者が成人用オムツを着用した状態で排尿すると、水分がオムツ本体の不織布を透過し、導電性接着剤が吸水して導電性を示す。それによって、一対の電極間が導通する。
一対の電極にはコネクタが接続され、そのコネクタは排尿報知装置に接続される。排尿報知装置は、一対の電極間が導通すると、ブザー等で排尿を報知する。
【先行技術文献】
【特許文献】
【０００４】
【特許文献１】特開２０１１−７５３４７号公報
【考案の概要】
【考案が解決しようとする課題】
【０００５】
前述の先行技術の水分センサにおいては、水溶性カーボンインクをメインシートに印刷して一対の帯状電極が形成されている。この一対の帯状電極は、導電性接着剤に接するようにメインシートの表面に配置されており、導電性接着剤を介する導電路の形成を検出する。したがって、導電性接着剤を必須とする構成であり、導電性接着剤が一旦吸水してしまうと、乾燥して再利用することは困難である。また、一対の帯状電極は、水溶性カーボンインクの印刷によって形成されているから、尿水による汚れを洗浄して再利用できるだけの耐久性を備えていない。
【０００６】
したがって、前記先行技術に係る水分センサは、実際上、使い捨てにせざるを得ず、使用者の経済的負担が大きい。
そこで、この考案は、複数回の利用に適した構成の排尿検出パッドおよびそれを用いた排尿報知装置を提供する。
【課題を解決するための手段】
【０００７】
この考案は、使用者の陰部に着用されて当該使用者の排尿を検出する排尿検出パッドを提供する。この排尿検出パッドは、尿水を吸収して透過させる第１シートと、前記第１シートに重ね合わせられて当該第１シートと結合されており、前記第１シートを透過した尿水を吸収して濡れ拡がらせる第２シートと、前記第２シートに縫い付けられた導電性糸によって形成され、互いに間隔を開けて設けられた一対の導電部と、前記一対の導電部にそれぞれ接続され、前記第２シートに固定された一対の端子とを含む。
【０００８】
この構成によれば、使用者が排尿すると、尿水が第１シートに吸収されて透過し、第２シートに達して、第２シート内で尿水が濡れ拡がる。それによって、第２シートに縫い付けられた導電性糸で形成された一対の導電部間の電気抵抗が、第２シートが乾燥しているときに比較して低くなる。そこで、一対の導電部にそれぞれ接続された一対の端子間の電気抵抗を監視することによって、使用者の排尿を検出できる。
【０００９】
前述の先行技術のように、導電性接着剤を必須の構成としていないので、洗浄して第２シートを乾燥させれば、一対の導電部間の電気抵抗が高い状態（具体的には絶縁状態）となる。また、導電性糸で形成された導電部は、柔軟性があるうえに、充分な強度を有しており、尿水による汚れを洗浄して再利用するために充分な強度を有している。また、一対の端子は導電部とともに第２シートに固定されているので、導電部と端子との間の接続も強固である。したがって、複数回再利用可能な排尿検出パッドを提供することができ、それによって、使用者の経済的負担を軽減することができる。
【００１０】
この考案の一実施形態では、前記第１シートが、前記第２シートよりも吸水性が高い素材からなり、前記第２シートが、前記第１シートよりもシート内での尿水の濡れ拡がり速度が速く、前記第１シートよりも引っ張り強度の大きい素材からなる。
この構成では、第１シートは吸水性が高い素材であるので、使用者が多少発汗しても、その汗を吸い取り、第２シートに汗が濡れ拡がることを抑制または防止できる。その一方で、使用者が排尿して一定量以上の水分が生じれば、第１シートは尿水の全部は吸収せず、吸収し切れなかった尿水が第２シートに達して濡れ拡がる。第２シートは、尿水の濡れ拡がりが速い素材からなっているので、第２シートに達した尿水は速やかに濡れ拡がり、一対の導電部間の電気抵抗を速やかに下げる。このようにして、発汗による誤検出を抑制し、かつ排尿を高い信頼性で検出できる。
【００１１】
第１シートおよび第２シートは、いずれも織布からなっていてもよい。それにより、排尿検出パッドの強度が高まるので、複数回の再利用に堪える、経済的な排尿検出パッドを提供できる。
第１シートおよび第２シートのいずれか一方または両方が不織布からなっていてもよい。
【００１２】
この考案の一実施形態では、前記第１シートが、木綿の織布を含み、前記第２シートが、化学繊維（たとえばポリエステル）の織布を含む。この構成では、木綿の織布を含む第１シートは優れた吸水性を有するので、多少の発汗時に第２シートに水分が達することを抑制または防止できる。また、木綿の織布は肌触りがよいので、装着時の違和感を軽減できる。一方、化学繊維（たとえばポリエステル）の織布からなる第２シートは優れた強度を有するので、導電性糸を縫い付けるのに適しており、縫い付けられた導電性糸を高い強度で保持できる。また、化学繊維の織布からなる第２シートは、シート内を尿水が速やかに濡れ拡がるので、排尿時には、一対の導電部間に速やかに尿水を濡れ拡がらせることができる。これにより、少量の排尿を速やかに検出できるので、信頼性の高い排尿検出を実現できる。
【００１３】
この考案の一実施形態では、前記導電性糸が、前記第２シートの両面に露出するように前記第２シートに縫い付けられている。この構成では、尿水が第１シートを回り込んで第１シートとは反対側の第２シート表面に直接達した場合でも、尿水が第２シート内に濡れ拡がり、一対の導電部間の電気抵抗を引き下げる。したがって、第２シートのいずれの面からでも尿水を検出できるので、より信頼性の高い排尿検出が可能である。
【００１４】
この考案の一実施形態では、前記一対の導電部が、間隔を開けて互いに噛み合う一対の櫛形パターンを成している。この構成により、尿水を一層確実に検出することができ、より信頼性の高い排尿検出を実現できる。
この考案の一実施形態では、前記第２シートが、使用者の陰部前方に配置され、前記一対の導電部が配置された排尿検知部と、使用者の陰部後方に配置される後方部と、前記排尿検知部と前記後方部との間に配置され、使用者の股に配置される中間部とを含み、前記一対の導電部が、前記排尿検知部に配置され、前記後方部および前記中間部には配置されていない。
【００１５】
この構成では、導電部が陰部前方に配置される排尿検知部に設けられ、後方部および中間部には設けられていない。使用者の発汗は、通常、中間部および後方部に集中する。一般に排尿による尿水は、陰部前方を濡らすことが多い。そこで、導電部を陰部前方に対応した排尿検知部にだけ設けることによって、発汗による誤検出を抑制しながら、排尿を検出することができる。したがって、信頼性の高い排尿検出が可能である。陰部後方に配置される後方部は、排尿量が多いときの保水に寄与する。
【００１６】
この考案の一実施形態では、前記排尿検知部の幅が、前記後方部および前記中間部の幅よりも広く、前記後方部の幅が、前記中間部の幅よりも広い。この構成では、陰部前方に配置される排尿検知部の幅を広くし、股に対応する中間部の幅を狭くしている。それにより、装着時の違和感を軽減できる。また、排尿検知部を幅広にすることにより、より確実に排尿を検出できる。一方、後方部の幅を中間部よりも広くしておくことによって、排尿検出パッドを下着内の所定位置に確実に保持できるうえに、排尿量が多いときの保水性を高めることができる。
【００１７】
この考案の一実施形態では、前記第１シートが、前記第２シートの前記排尿検知部と重なり合う前方部と、前記第２シートの前記中間部と重なり合う股部とを有し、前記第２シートの後方部とは重なり合っていない。
この構成によれば、第２シートは、第１シートの排尿検知部と重なり合う前方部を有しているので、発汗による水分は当該前方部で吸収され、排尿時の尿水は当該前方部によって吸収され切らずに第２シートの排尿検知部に達する。それにより、信頼性の高い検知が可能である。また、第１シートの股部は第２シートの中間部と重なり合っているので、発汗による湿りの大部分を吸収できる。また、第１シートは、第２シートの後方部とは重なり合っていないので、万が一、尿水が陰部後方側に拡がった場合でも、第２シートの後方部から導電部に向けて尿水を濡れ拡がらせることができる。したがって、信頼性の高い排尿検知を実現できる。
【００１８】
この考案の一実施形態では、前記第１シートの前方部が前記第２シートの排尿検知部と等幅であり、前記第１シートの股部が前記第２シートの中間部と等幅である。この構成では、第１シートの前方部および股部は、第２シートの排尿検知部および中間部と整合する幅を有している。それにより、装着時の違和感を軽減でき、かつ発汗による誤検知を確実に抑制または防止できる。
【００１９】
この考案の一実施形態では、前記第１シートの周縁部と前記第２シートの周縁部とが互いに縫い付けられることにより、前記第１シートおよび前記第２シートが互いに結合されている。この構成では、第１および第２シートが周縁部同士を縫い付けて強固に結合されている。したがって、複数回の繰り返し利用に適した構造の排尿検出パッドを提供できる。第２シート内を尿水が濡れ拡がることによって排尿を検知できるので、周縁部よりも内方において第１および第２シートが互いに結合されていることを必ずしも必要としない。
【００２０】
この考案の一実施形態では、前記第１シートの周縁部が前記第２シートの周縁部に結合されており、前記第１シートの周縁部が、前記第２シートに結合されていない自由縁部を含み、前記第１シートと前記第２シートとの間に、前記自由縁部により区画された開口からアクセス可能なポケットが形成されている。
この構成により、たとえば大量の発汗による誤検知のおそれがあるときには、このポケット内に布きれその他の吸水材を挿入しておくことで、より信頼性の高い排尿検知が可能となる。発汗量には大きな個人差があるので、吸水性を簡単に調整できる構造を備えておくことにより、個人差に応じて適切な排尿検知が可能となる。
【００２１】
また、自由縁部から第２シートの内側面（第１シートに対向する面）にもアクセスすることができ、たとえば、導電部または端子の補修等を行うこともできる。
この考案の一実施形態では、前記第２シートが、複数のシート体を積層した積層構造を有している。この構成によれば、第２シートは、尿水が濡れ拡がる性質とともに、保水性を備えることができる。それにより、大量の排尿に際しても、或る程度の保水が可能である。
【００２２】
たとえば、第２シートは、化学繊維（たとえばポリエステル）の織布を複数層（２層以上。たとえば３層）重ね合わせた織布積層構造を有していてもよい。また、第２シートは化学繊維の不織布を複数層重ね合わせた不織布積層構造を有していてもよい。さらにまた、第２シートを構成する複数のシート体は、少なくとも１層の織布と、少なくとも１層の不織布とを含んでいてもよい。
【００２３】
第２シートは積層構造を有する必要はなく、単層のシート体で第２シートを構成することもできる。
この考案の一実施形態では、前記一対の導電部が、使用者の左右方向に間隔を開けて対向するように配置された一対の主体部をそれぞれ有し、各導電部が、前記主体部から他方の導電部の主体部に向かって延びた枝部を有している。この構成によれば、一対の主体部が左右方向に対向しており、それらから、互いの他方の主体部に向けて枝部が延びているので、第２シートに濡れ拡がる尿水を広域で確実に検出できる。
【００２４】
この考案の一実施形態では、前記一対の主体部が、使用者の左右方向に対して直交するように使用者の下腹部に沿って互いに平行に延びる一対の平行直線部と、前記一対の平行直線部のそれぞれの対応する一端に連続し、使用者の股に向かうに従って互いの間隔が短くなるように傾斜した一対の傾斜直線部とを含む。
この構成により、使用者の下腹部の形状に対応したパターンで導電部が配置されているので、導電部に過度なストレスがかかることがなく、かつ、装着時に導電部に不所望な変形が生じることを回避できる。それによって、一層信頼性の高い排尿検知が可能になる。
【００２５】
この考案の一実施形態では、前記端子が、互いにスナップ結合する金属製の第１スナップ端子および第２スナップ端子を有するスナップ端子対の前記第１スナップ端子である。
この構成によれば、端子はスナップ式なので、外部装置を容易に着脱できる。したがって、外部装置から取り外した状態で、端子付の排尿検出パッドを取り扱うことができるため、洗浄および乾燥時の取り扱いが容易である。それに応じて、再利用に適しており、したがって経済的な構成の排尿検出パッドを提供できる。
【００２６】
前記外部装置は、第２シート上の一対の端子間の電気抵抗の低下に応答して警報（アラーム）を発生するアラームユニットであってもよい。
この考案の一実施形態に係る排尿検出パッドは、前記一対の端子にそれぞれ結合される一対の電線（たとえば被覆電線）と、前記一対の電線のそれぞれの先端に設けられ前記第１スナップ端子（雄型または雌型）にスナップ結合可能な一対の前記第２スナップ端子（雌型または雄型）とを含むケーブルをさらに含む。
【００２７】
この構成によれば、排尿検出パッドの第２シートに固定された第１スナップ端子に対して第２スナップ端子をスナップ結合させることによって、排尿検出パッドの端子にケーブルを接続できる。また、第１スナップ端子から第２スナップ端子を取り外すことによって、ケーブルを取り外すことができる。すなわち、ケーブルを容易に着脱できるから、洗浄時および乾燥時には、ケーブルを取り外した状態で排尿検出パッドを取り扱うことができる。したがって、複数回の再利用に適した、経済的な排尿検出パッドを提供できる。
【００２８】
この考案の一実施形態に係る排尿検出パッドは、前記一対の端子にそれぞれ着脱可能な端子部を先端に有する一対の電線（たとえば被覆電線）を備えたケーブルをさらに含む。この構成によれば、第２シートに固定された端子に対して、ケーブルの端子部を着脱できる。したがって、洗浄時および乾燥時には、ケーブルを取り外した状態で排尿検出パッドを取り扱うことができる。これにより、複数回の再利用に適した、経済的な排尿検出パッドを提供できる。
【００２９】
前記端子部は、前記第２のスナップ端子であってもよい。第２シートに設けられる端子およびケーブルに設けられる端子部は、スナップ端子対であってもよいし、容易に着脱可能な他の形態の端子対であってもよい。
この考案の一実施形態に係る排尿検知パッドは、前記第２シートに着脱自在な留め具（たとえばクリップ状留め具）と、前記留め具に保持（たとえば着脱自在に保持）され、前記一対の電線を結束して前記ケーブルを保持するケーブル保持具とをさらに含む。
【００３０】
この構成によれば、第２シートに着脱できる留め具にケーブル保持具が保持され、そのケーブル保持具に被覆電線を結束した状態でケーブルが保持される。したがって、ケーブルの端子部と第２シート上の端子との間に大きな外力がかかることを回避できる。すなわち、ケーブルが強く引かれたとしても、その引っ張り力はケーブル保持具および留め具によって受けられ、ケーブルの端子部にその大きな引っ張り力が及ぶことはない。これにより、ケーブルと端子との間の電気的接続を確保できるので、ケーブルが着脱可能でありながら、信頼性の高い排尿検知を実現できる。
【００３１】
この考案の一実施形態では、前記ケーブル保持具が、前記留め具によって前記一対の電線を互いに離間させた状態で当該一対の電線を結束して保持するように構成されている。この構成によれば、留め具およびケーブル保持具は、ケーブルを保持する機能だけでなく、被覆電線の先端側を離間させた状態を保持する機能を兼ね備えている。これにより、ケーブルの先端の端子部と第２シート上の端子との間に大きな外力がかかることを一層確実に回避でき、ケーブルが着脱可能でありながら、優れた信頼性の排尿検出パッドを提供できる。
【００３２】
前記排尿検出パッドは、前記留め具によって、使用者の下着に固定して用いられてもよい。この構成によれば、留め具は、ケーブルの保持だけでなく、使用者の下着への排尿検出パッドの固定のためにも用いられる。そして、使用者の下着に対して着脱可能であるので、使い捨てにする必要がなく、複数回繰り返して利用することができる排尿検出パッドを提供できる。
【００３３】
前記排尿検出パッドは、使用者が装着する下着の内側に配置して用いられることが好ましい。この構成によれば、排尿時には、尿水が下着に達するよりも前に、その尿水が一対の導電部間の電気抵抗を引き下げ、それによって、排尿が迅速に検出される。そして、使用者の下着に対して着脱可能であるので、使い捨てにする必要がなく、複数回繰り返して利用することができる排尿検出パッドを提供できる。
【００３４】
この考案の一実施形態は、前述のような特徴を有する排尿検出パッドと、前記一対の端子に電気的に接続され、前記一対の端子間の電気抵抗に応答して作動するアラームユニットとを含む、排尿報知装置を提供する。この構成では、第２シートに尿水が濡れ拡がって端子間の電気抵抗が下がると、それに応じてアラームユニットが作動する。これにより、排尿が報知される。
【００３５】
アラームユニットは、ブザー音等の警報音を発生するものであってもよいし、振動を発生するものであってもよいし、それらの両方を発生するものであってもよい。
アラームユニットは、たとえば、使用者が身につけて就寝できるように構成されていてもよい。この場合、就寝中の排尿の検出によってアラームユニットが作動することで、使用者を目覚めさせることができる。これにより、夜尿症の治療の目的に排尿報知装置を利用することができる。
【００３６】
アラームユニットは、一対の端子間の電気抵抗の低下に応答して、アラーム信号を無線送信する送信ユニットであってもよい。この場合、アラーム信号を無線受信する受信ユニットと、その受信ユニットがアラーム信号を受信することに応答して、警報音や振動を発生して排尿を報知する報知ユニットとがさらに備えられることが好ましい。受信ユニットおよび報知ユニットは、別体の装置であってもよいし、一つの装置内に両ユニットが備えられてもよい。
【考案の効果】
【００３７】
この考案によれば、複数回の利用に適した構成の排尿検出パッドおよびそれを用いた排尿検知装置を提供できる。
【図面の簡単な説明】
【００３８】
【図１】図１は、この考案の一実施形態に係る排尿検出パッドを備えた排尿報知装置の使用例を示す斜視図である。
【図２】図２は、排尿検出パッドの使用状態を拡大して示す斜視図である。
【図３】図３は、排尿検出パッドの平面図であり、使用時に使用者側（内側）に位置する内側表面の構成を示す。
【図４】図４は、排尿検出パッドの底面図であり、使用時に使用者とは反対側（外側）に位置する外側表面の構成を示す。
【図５】図５は、排尿検出パッドの分解斜視図である。
【図６】図６は、排尿検出パッドを構成する第２シートの積層構造を示す図解的な断面図である。
【図７】図７は、排尿検出パッドの一対の端子に接続されるケーブルの構成例を示す斜視図である。
【図８】図８は、排尿検出パッドを着衣に固定するためのクリップおよびケーブルの保持構造を示す斜視図である。
【図９】図９は、ケーブル保持具をクリップに取り付けた状態を示す平面図である。
【図１０】図１０は、排尿検出パッドに接続されるアラームユニットの構成例を示す斜視図である。
【考案を実施するための形態】
【００３９】
以下では、この考案の実施の形態を、添付図面を参照して詳細に説明する。
図１は、この考案の一実施形態に係る排尿検出パッドを備えた排尿報知装置の使用例を示す斜視図である。排尿報知装置１は、排尿検出パッド２と、この排尿検出パッド２に接続されたアラームユニット３とを含む。排尿報知装置１は、たとえば、夜尿症の治療の目的で使用することができる。排尿検出パッド２は、就寝時に使用者１０が下着１１の内側に着用し、使用者１０の排尿を検出する。アラームユニット３は、ケーブル４を介して排尿検出パッド２に接続されている。アラームユニット３は、たとえば、就寝着１２の上半身部に固定されて用いられる。
【００４０】
使用者１０の排尿が検出されると、アラームユニット３が作動して、警報音や振動等によってアラームを発生し、使用者１０に排尿を報知する。これにより、使用者１０が覚醒する。
図２は、排尿検出パッド２の使用状態を拡大して示す斜視図である。排尿検出パッド２は、使用者が装着する下着１１の内側に配置され、クリップ５によって下着１１に固定される。その状態で使用者が下着１１を装着すると、排尿検出パッド２は、使用者１０の下腹部、すなわち陰部〜股部〜臀部にあてがわれる。排尿検出パッド２には、ケーブル４の一端が着脱自在に接続されている。ケーブル４は、クリップ５に保持されている。ケーブル４の他端は、アラームユニット３に着脱自在に接続されている（図１参照）。
【００４１】
図３は、排尿検出パッド２の平面図であり、使用時に使用者の肌に接する面（内側）の構成を示す。図４は、排尿検出パッド２の底面図であり、使用時に使用者の下着に接する面（外側）の構成を示す。図５は、排尿検出パッド２の分解斜視図である。
排尿検出パッド２は、第１シート２１と、第２シート２２と、一対の導電部２３，２４と、一対の端子２５，２６とを含む。第１シート２１および第２シート２２は、互いに重ね合わされて、一部の区画を除き結合されている。第１シート２１は、使用時に使用者側（内側）に位置し、尿水を吸収して第２シート２２へと透過させる。第２シート２２は、使用時に使用者とは反対側（外側。下着に接する側）に位置し、第１シート２１を透過した尿水を吸収し、当該第２シート２２内で濡れ拡がらせる。一対の導電部２３，２４は、第２シート２２に縫い付けられた導電性糸によって形成されており、第２シート２２上で互いに間隔を開けて配置されている。一対の端子２５，２６は、第２シート２２に固定されており、一対の導電部２３，２４にそれぞれ接続されている。排尿検出パッド２は、全体として、可撓性シート状のパッドであり、使用時には、使用者の下着および下腹部の形状に倣って変形する。
【００４２】
第１シート２１は、第２シート２２よりも吸水性の高い素材からなる。具体的には、この実施形態では、第１シート２１は、木綿の織布からなる。第２シート２２は、第１シート２１よりも尿水の濡れ拡がり速度が速い素材からなる。具体的には、この実施形態では、第２シート２２は、化学繊維（より具体的にはポリエステル）の織布からなる。
さらに具体的には、図６に示すように、第２シート２２は複数のシート体２２１，２２２，２２３を積層した層構造を有している。この実施形態では、複数のシート体２２１，２２２，２２３は、化学繊維（たとえばポリエステル）の織布からなっている。これらの複数のシート体２２１，２２２，２２３は、周縁部で縫い合わされることによって互いに結合されている。
【００４３】
第２シート２２は、使用者の陰部前方に配置される排尿検知部３１と、使用者の陰部後方に配置される後方部３３と、使用者の股に配置される中間部３２とを含む。中間部３２は排尿検知部３１および後方部３３の間に配置されており、排尿検知部３１および後方部３３にそれぞれ連続している。第２シート２２は、排尿検出パッド２の中心線２０に対して左右対称な形状を有している。中心線２０は、仰臥位の使用者の体軸（身体の長軸）を含む鉛直面に沿う線である。
【００４４】
排尿検知部３１は、中心線２０に沿って延びた等幅部３１１と、等幅部３１１から中間部３２に向かって幅が漸減する減幅部３１２とを有しており、等幅部３１１において最大幅Ｗ１を有している。等幅部３１１の周縁３５は、中心線２０とほぼ平行な一対の側辺部３６，３７と、中心線２０にほぼ垂直に交わる端辺部３８と、この端辺部３８の両端を一対の側辺部３６，３７に連続させる円弧状の一対の曲線部３９とを有している。側辺部３６，３７および端辺部３８は、この実施形態では、ほぼ直線状であり、より正確には、外方に向かって若干膨出した弧状にそれぞれ形成されている。減幅部３１２の周縁４０は、等幅部３１１から中間部３２に向かうに従って中心線２０に接近するように傾斜した一対の傾斜辺部４１，４２を含む。
【００４５】
中間部３２の周縁４５は、中心線２０を挟んだ両側に一対の凹状部４６を有している。凹状部４６は、排尿検知部３１側端から後方部３３側端に向かうに従って、中心線２０に近づいていき、その後、中心線２０から離れるように窪んだ弧状に形成されている。凹状部４６が中心線２０に最も接近する位置において、中間部３２の幅が最小幅Ｗ２′となり、凹状部４６の両端のいずれかの位置で、中間部３２は最大幅Ｗ２を有している。
【００４６】
後方部３３の周縁４７は、中心線２０を挟んだ両側に一対の凸状部４８を有し、さらに、これらの一対の凸状部４８を結合する端辺部４９を有している。一対の凸状部４８は、中間部３２から端辺部４９に向かうに従って、中心線２０から離れていき、その後、中心線２０に接近していくように膨らんだ弧状に形成されている。端辺部４９は、この実施形態では、ほぼ直線状であり、より正確には、外方に若干膨出した弧状に形成されている。後方部３３は、凸状部４８の頂点（中心線２０から最も離れている位置）付近において最大幅Ｗ３を有している。
【００４７】
この実施形態では、排尿検知部３１の幅Ｗ１は、中間部３２の幅Ｗ２および後方部３３の幅Ｗ３のいずれよりも広い。また、後方部３３の幅Ｗ３は中間部３２の幅Ｗ２よりも広い。
排尿検知部３１の最大幅Ｗ１はたとえば１４cm〜１７cmであってもよい。中間部３２の最大幅Ｗ２はたとえば８cm〜１０cmであってもよい。中間部３２の最小幅Ｗ２′は、たとえば７cm〜９cmであってもよい。後方部３３の最大幅Ｗ３はたとえば１１cm〜１３cmであってもよい。
【００４８】
排尿検知部３１の中心線２０に沿う方向の長さは、たとえば１９cm〜２１cmであってもよい。中間部３２の中心線２０に沿う方向の長さは、たとえば７cm〜９cmであってもよい。後方部３３の中心線２０に沿う方向の長さは、たとえば８cm〜１０cmであってもよい。排尿検知部３１の長さは、中間部３２および後方部３３の長さよりも長い。排尿検出パッド２全体の中心線２０に沿う方向の長さは、たとえば、３６cm〜４０cmであってもよい。排尿検知部３１の長さは、排尿検出パッド２の全長の半分以上であってもよい。
【００４９】
第１シート２１は、使用者の陰部前方に配置される前方部５１と、使用者の股に配置される股部５２とを有している。第１シート２１は、第２シート２２の後方部３３と重なり合う部分を有していない。
前方部５１は、第２シート２２の排尿検知部３１と重なりあっており、排尿検知部３１と整合する大きさおよび形状を有している。したがって、前方部５１は第２シート２２と等幅に形成されている。より具体的には、前方部５１は、中心線２０に沿って延びた等幅部５１１と、等幅部５１１から股部５２に向かって幅が漸減する減幅部５１２とを有しており、等幅部５１１において最大幅Ｗ１１（≒Ｗ１）を有している。等幅部５１１の周縁５５は、中心線２０とほぼ平行な一対の側辺部５６，５７と、中心線２０にほぼ垂直に交わる端辺部５８と、この端辺部５８の両端を一対の側辺部５６，５７に連続させる円弧状の曲線部５９とを有している。側辺部５６，５７は、この実施形態では、ほぼ直線状であり、より正確には、外方に向かって若干膨出した弧状に形成されている。端辺部５８は、この実施形態では、中央部にオフセット辺６３を有している。オフセット辺６３は、第２シート２２の排尿検知部３１の端辺部３８よりも内方（股部５２に近い方）に後退して配置されている。減幅部５１２の周縁６０は、等幅部５１１から股部５２に向かうに従って中心線２０に接近するように傾斜した一対の傾斜辺部６１，６２を含む。
【００５０】
股部５２は、第２シート２２の中間部３２と重なりあっており、中間部３２と整合する大きさおよび形状を有している。したがって、股部５２は第２シート２２の中間部３２と等幅に形成されている。より具体的には、股部５２の周縁６５は、中心線２０を挟んだ両側に一対の凹状側部６６を有し、前方部５１とは反対側に端辺部６７を有している。凹状側部６６は、前方部５１側端から離れるに従って、中心線２０に近づいていき、その後、中心線２０から離れるように窪んだ弧状に形成されている。凹状側部６６が中心線２０に最も接近する位置において、股部５２は最小幅Ｗ１２′（≒Ｗ２′）を有し、凹状側部６６の両端のいずれかの位置で、股部５２は最大幅Ｗ１２（≒Ｗ２）を有している。股部５２の幅Ｗ１２は、前方部５１の幅Ｗ１１よりも狭い。端辺部６７は、一対の凹状側部６６の後端を結合するようにほぼ直線状に延びている。
【００５１】
第１シート２１および第２シート２２の周縁部同士は、互いに縫い付けられることによって、互いに結合されている。
より具体的には、第１シート２１の前方部５１の周縁部において、一対の側辺部５６，５７および一対の傾斜辺部６１，６２が、第２シート２２の排尿検知部３１の一対の側辺部３６，３７および一対の傾斜辺部４１，４２に、それぞれ縫い付けられている。また、第１シート２１の前方部５１の周縁部において、端辺部５８の両端領域が、第２シート２２の排尿検知部３１の端辺部３８の両端領域にそれぞれ縫い付けられている。第１シート２１の前方部５１の端辺部５８において、オフセット辺６３の領域は、第２シート２２に結合されていない第１自由縁部７１である。
【００５２】
一方、第１シート２１の股部５２の周縁部において、一対の凹状側部６６が、第２シート２２の中間部３２の一対の凹状部４６に縫い付けられている。第１シート２１の股部５２の端辺部６７は、第２シート２２に結合されていない第２自由縁部７２である。
第１シート２１と第２シート２２とは、周縁部以外では結合されておらず、したがって、第１シート２１と第２シート２２との間には、第１自由縁部７１および第２自由縁部７２によりそれぞれ区画された第１開口７３および第２開口７４からアクセス可能なポケット７０が形成されている。このポケット７０には、布きれ等を入れることができ、それによって、必要に応じて吸水性および保水性を増加させることができる。また、第１開口７３および第２開口７４から第１シート２１および第２シート２２の互いの対向面にアクセスすることができる。それによって、たとえば、第２シート２２に備えられた導電部２３，２４や端子２５，２６のメンテナンスを必要に応じて行うことができる。
【００５３】
一対の導電部２３，２４は、第２シート２２の排尿検知部３１に配置されており、その中間部３２および後方部３３には配置されていない。導電部２３，２４を構成する導電性糸は、第２シート２２の両面に露出するように当該第２シート２２に縫い付けられている。導電性糸とは、導電性を持たせた繊維からなる。導電性糸は、合成繊維に導電体（金属や黒鉛など）を均一に分散させたものであってもよいし、ステンレス鋼のような金属を繊維化したものであってもよいし、有機物繊維の表面を導電体（金属等）で被覆したものであってもよいし、導電性物質を含む樹脂で有機物繊維の表面を被覆したものであってもよい。
【００５４】
一対の導電部２３，２４は、排尿検知部３１において、間隔を開けて互いに噛み合う一対の櫛形パターンを成している。より具体的には、一対の導電部２３，２４は、中心線２０を挟んで左右方向に間隔を開けて対向するように配置された一対の主体部８１と、主体部８１から各他方の主体部８１に向かって延びた複数の枝部８２とを有している。各主体部８１は、中心線２０に平行に延びる平行直線部８１１と、この平行直線部８１１の中間部３２側の端に連続し、中間部３２に向かうに従って中心線２０に接近するように傾斜した傾斜直線部８１２とを有している。一対の主体部８１にそれぞれ備えられた一対の平行直線部８１１は、使用者の左右方向に対して直交するように使用者の下腹部に沿って互いに平行に延びている。一対の平行直線部８１１の間の間隔は、たとえば、５cm〜７cmであってもよい。一対の主体部８１にそれぞれ備えられた一対の傾斜直線部８１２は、使用者の股に向かうに従って互いに間隔が漸減するように傾斜している。複数の枝部８２は、各導電部２３，２４から中心線２０に向かう方向にそれぞれ直線状に延びている。この実施形態では、一対の導電部２３，２４の平行直線部８１１から２本ずつの枝部８２が互い違いに延びており、さらに一方の導電部２３，２４の傾斜直線部８１２から１本の枝部８２が延びている。
【００５５】
平行直線部８１１から延びた枝部８２は、この実施形態では、中心線２０を越え、かつ他方の主体部８１の平行直線部８１１との間に間隔を保った位置まで延びている。たとえば、平行直線部８１１から延びた枝部８２の長さは３．５cm〜５cm程度であってもよく、枝部８２の先端と対向する平行直線部８１１との間には、１．５cm〜２．５cm程度の間隔が確保されていてもよい。また、傾斜直線部８１２から延びた枝部８２は、中心線２０を越える位置まで延びていてもよく、中心線２０を越えない位置まで延びていてもよい。この枝部８２の長さは、たとえば、１．５cm〜２cmであってもよく、対向する傾斜直線部８１２との間に２cm〜４cmの間隔が確保されていてもよい。
【００５６】
一対の主体部８１から延びた枝部８２は、中心線２０に沿って、一定の間隔を開けて配列されている。その間隔は、たとえば、１．５cm〜２．５cm程度であってもよい。すなわち、一対の主体部８１の間の最短距離は、１．５cm〜２．５cm程度であってもよい。
導電部２２，２３は、排尿検知部３１の中央部を含む広い面積に渡っている。それにより、感知域が広いので、尿量が少なくとも、また尿水による濡れが偏っている場合でも、安定した排尿検知を行える。
【００５７】
一対の端子２５，２６は一対の導電部２３，２４の主体部８１の一端にそれぞれ接続するように、第２シート２２に取り付けられている。端子２５，２６は、この実施形態では、スナップボタンの形態を有する金属製（たとえばステンレス製）の第１スナップ端子２５，２６である。
図７は、一対の端子２５，２６に接続されるケーブル４の構成例を示す斜視図である。ケーブル４は、一対の被覆電線９１，９２と、一対の被覆電線９１，９２の各一端にそれぞれ接続された一対の第２スナップ端子９５，９６と、一対の被覆電線９１，９２の端部に共通に接続されたアラームユニットコネクタ１００とを含む。
【００５８】
第２スナップ端子９５，９６は、第２シート２２に固定された第１スナップ端子２５，２６とそれぞれスナップ結合可能な金属製（たとえばステンレス製）の端子である。すなわち、第２スナップ端子９５，９６は、第１スナップ端子２５，２６にそれぞれスナップ結合可能なスナップボタンの形態を有する。第１スナップ端子２５，２６および第２スナップ端子９５，９６は、雌雄結合可能なスナップ端子対をなしており、それらのうちの一方（たとえば第１スナップ端子２５，２６）が雄型スナップ端子であり、他方（たとえば第２スナップ端子９５，９６）が雌型スナップ端子である。したがって、第２スナップ端子９５，９６は、第１スナップ端子２５，２６に対して着脱することができる。
【００５９】
第２スナップ端子９５，９６は、樹脂カバー９７，９８でそれぞれ覆われている。樹脂カバー９７，９８は、被覆電線９１，９２の樹脂被覆部９４（図８参照）に結合されている。第２スナップ端子９５，９６は、被覆電線９１，９２の芯線９３（図８参照）に接合され、当該芯線９３と電気的に接続されている。
一対の被覆電線９１，９２は、第２スナップ端子９５，９６の近傍の所定長（たとえば５〜１０cm程度）の部分が互いに分離されており、残余の部分は、互いの樹脂被覆部９４同士が結合されている。
【００６０】
アラームユニットコネクタ１００は、樹脂ハウジング１０１と、少なくとも一対の金属端子１０２とを含む。一対の金属端子１０２に、一対の被覆電線９１，９２の芯線９３がそれぞれ接合されて電気的に接続されている。樹脂ハウジング１０１は、被覆電線９１，９２の端部を保持し、かつそれらの芯線９３にそれぞれ接続された一対の金属端子１０２を保持している。
【００６１】
図８は、クリップ５およびケーブル４の保持構造を示す斜視図である。クリップ５は、クリップ基部１１１と、板ばね片１１２と、圧接板１１３と、操作レバー１１４とを含む。
クリップ基部１１１は、長尺板状に形成されており、その一端部の一表面に圧接部１１６を有し、その他端部には板厚方向に貫通した貫通孔１１７を有し、その中間部の両側縁から立ち上がった一対の軸受片１１８を有している。一対の軸受片１１８に操作レバー１１４が回動自在に取り付けられている。
【００６２】
板ばね片１１２は、一対の軸受片１１８の間に、操作レバー１１４とクリップ基部１１１との間を通るように配置されており、その後端が貫通孔１１７の近傍に掛合していて、前端に向かうに従ってクリップ基部１１１から離間する形状に整形されている。
板ばね片１１２の前端に圧接板１１３が固定されており、クリップ基部１１１の圧接部１１６に対向している。
【００６３】
操作レバー１１４は一対の軸受片１１８に回動自在に挿入された軸部１２０と、軸部１２０から突出した突条１２１とを有している。突条１２１は、操作レバー１１４の回動軸線に沿って延びており、かつその回動軸線に直交する方向に突出している。
操作レバー１１４をクリップ基部１１１の圧接部１１６に向けて回動させると、突条１２１が板ばね片１１２に当接する。板ばね片１１２の弾性力に抗してさらに操作レバー１１４を圧接部１１６に向けて回動させると、板ばね片１１２が弾性変形することにより、圧接板１１３が圧接部１１６に接近する。突条１２１が板ばね片１１２の最大変位点を超えるまで操作レバー１１４を回動させることにより、板ばね片１１２の弾性力によって、操作レバー１１４の先端部がクリップ基部１１１に接近した閉じ位置で操作レバー１１４が保持される。
【００６４】
したがって、圧接部１１６と圧接板１１３との間に第２シート２２および使用者の下着の縁部（たとえば、使用者の腹部側の上縁部）とを挟み込むことにより、排尿検出パッド２を下着に固定できる。
クリップ基部１１１の貫通孔１１７には、ケーブル保持具１２５を着脱自在に取り付けることができる。ケーブル保持具１２５は、貫通孔１１７に嵌合し、それらの間の摩擦力によって保持される嵌合突起１２６と、この嵌合突起１２６と一体に成形された電線結束部１２７とを有している。電線結束部１２７には一対の被覆電線９１，９２がスライド可能に挿通されている。
【００６５】
この実施形態では、貫通孔１１７は円筒状に形成されており、それに応じて、嵌合突起１２６は円柱状に形成されている。貫通孔１１７および嵌合突起１２６の径はほぼ等しい。
ケーブル保持具１２５の嵌合突起１２６をクリップ基部１１１の貫通孔１１７に嵌合させることによって、ケーブル保持具１２５を、クリップ５を介して使用者の下着および第２シート２２に取り付けることができる。ケーブル保持具１２５は、一対の被覆電線９１，９２を結束した状態で、クリップ基部１１１に保持する。
【００６６】
図９は、ケーブル保持具１２５をクリップ５に取り付けた状態を示す平面図である。ケーブル保持具１２５と一対の軸受片１１８との間で、一対の被覆電線９１，９２を互いに離間させると、その離間した各被覆電線９１，９２は、ケーブル保持具１２５と軸受片１１８との間で曲げられ、その曲げられた状態で保持される。これにより、ケーブル保持具１２５は、一対の被覆電線９１，９２を互いに離間させた状態で、当該一対の被覆電線９１，９２を結束して保持することができる。
【００６７】
一対の被覆電線９１，９２がケーブル保持具１２５の近傍で大きく曲げられることにより、被覆電線９１，９２はケーブル保持具１２５に対してきつく保持される。したがって、ケーブル４がアラームユニット３側へと引かれても、ケーブル４にかかる張力が端子部（第２スナップ端子）９５，９６まで伝達することがない。それによって、ケーブル４と導電部２３，２４との間の電気的接続を確実に保持することができる。
【００６８】
図１０は、アラームユニット３の構成例を示す斜視図である。アラームユニット３は、ハウジング１３１と、接続部１３２と、解除ボタン１３３と、取付具１３４とを含む。図示は省略するが、ハウジング１３１内には、ケーブル４の一対の被覆電線９１，９２間の電気抵抗を検出する検出部と、その検出部の検出結果に応答してアラーム（警報）を発生するアラーム発生部とが設けられている。アラーム発生部は、ブザー音、振動等のアラームを発生する。
【００６９】
解除ボタン１３３は、アラームを停止させるための操作部である。たとえば、ケーブル４を接続部１３２から取り外した状態で解除ボタン１３３に対して所定の操作（たとえば長押し操作）を行うことで、アラームが停止するように構成されていてもよい。取付具１３４は、この実施形態では、マグネット式である。具体的には、取付具１３４は、ハウジング１３１から延び出た可撓性の帯状体１３６と、その帯状体１３６の先端に設けられた磁性体１３７と、ハウジング１３１に固定された磁性体１３８とを含む。一対の磁性体１３７，１３８の少なくとも一方が磁石（強磁性体）である。使用者は、一対の磁性体１３７，１３８で着衣の一部を挟み込むことによって、アラームユニット３を着衣に固定することができる。
【００７０】
以上、この実施形態の構成によれば、使用者１０が排尿すると、尿水が第１シート２１に吸収されて透過し、第２シート２２に達して、第２シート２２内で尿水が濡れ拡がる。それによって、第２シート２２に縫い付けられた導電性糸で形成された一対の導電部２３，２４間の電気抵抗が、第２シート２２が乾燥しているときに比較して低くなる。これに応答して、アラームユニット３がアラームを発生して、使用者１０に排尿を報知する。
【００７１】
第１シート２１および第２シート２２は周縁部同士を縫い付けることによって互いに結合されており、第２シート２２中で尿水が濡れ拡がることによって排尿を検出できる。そのため、特許文献１の先行技術のように、導電性接着剤を必須の構成としていない。また、導電性糸で形成された導電部２３，２４は、柔軟性があるうえに、充分な強度を有している。そして、一対の端子２５，２６は導電部２３，２４とともに第２シート２２に固定されているので、導電部２３，２４と端子２５，２６との間の接続も強固である。したがって、この実施形態の排尿検出パッド２は、洗浄および乾燥して複数回再利用することができる。それにより、使用者の経済的負担を軽減することができる。
【００７２】
その他、この実施形態の排尿検出パッド２は、「課題を解決するための手段」の項で説明した作用効果を奏することができ、信頼性の高い排尿検出が可能で、かつ経済的な排尿検出パッドを提供できる。
以上、この考案の一実施形態について説明したが、この考案は「課題を解決するための手段」の項において言及した変形を含む各種の変形形態で実施することができ、その他にも、実用新案登録請求の範囲に記載された事項の範囲で種々の設計変更を施すことが可能である。
【符号の説明】
【００７３】
１  排尿報知装置
２  排尿検出パッド
３  アラームユニット
４  ケーブル
５  クリップ
１０  使用者
１１  下着
１２  就寝着
２０  中心線
２１  第１シート
２２  第２シート
２２１，２２２，２２３  第２シートを構成するシート体
２３，２４  導電部（導電性糸）
２５，２６  端子（第１スナップ端子）
３１  排尿検知部
３２  中間部
３３  後方部
Ｗ１  排尿検知部の幅
Ｗ２  中間部の幅
Ｗ３  後方部の幅
５１  前方部
５２  股部
Ｗ１１  前方部の幅
Ｗ１２  股部の幅
６３  オフセット辺
７０  ポケット
７１  第１自由縁部
７２  第２自由縁部
７３  第１開口
７４  第２開口
８１  主体部
８１１  平行直線部
８１２  傾斜直線部
８２  枝部
９１，９２  被覆電線
９５，９６  端子部（第２スナップ端子）
１２５  ケーブル保持具
１２６  嵌合突起
１２７  電線結束部
１３１  ハウジング
１３２  接続部
１３３  解除ボタン
【図１】
0003193591.tif 000003
【図２】
0003193591.tif 000004
【図３】
0003193591.tif 000005
【図４】
0003193591.tif 000006
【図５】
0003193591.tif 000007
【図６】
0003193591.tif 000008
【図７】
0003193591.tif 000009
【図８】
0003193591.tif 000010
【図９】
0003193591.tif 000011
【図１０】
0003193591.tif 000012